(57)【要約】【課題】ゴルフクラブのヘッドに接触するゴルフボールの接触面積を増大させてゴルフクラブのヘッドによるゴルフボールのインパクト動作の際にその衝撃力によるゴルフボールの変形を減少させることができると共に、ゴルフボールの弾発力を増大させてゴルフボールの飛距離を増加させることが可能なゴルフボールのディンプル内部構造を提供する。【解決手段】ゴルフボールのディンプル内部構造は、所定形状の多数のディンプルが一定の形に配列されたゴルフボールにおいて、前記ディンプルの内側に少なくとも１つ以上一体に形成される突起からなる。【選択図】図１
2007535971.tif 000002
【特許請求の範囲】
【請求項１】
ディンプルが付いているゴルフボールにおいて、前記ディンプルには突起が少なくとも１つ以上一体に形成されることを特徴とする、ゴルフボールのディンプル内部構造。
【請求項２】
前記突起は、前記ディンプルの深さをなす上部仮想円周と下部仮想円周との間に形成され、前記上部仮想円周の外部に突出しないことを特徴とする、請求項１に記載のゴルフボールのディンプル内部構造。
【請求項３】
前記突起は全体ディンプルのそれぞれに形成されることを特徴とする、請求項１に記載のゴルフボールのディンプル内部構造。
【請求項４】
前記突起は、全体ディンプル数の１５〜８５％の間に相当する数だけ存在するように形成されるが、ゴルフボールの重心がいずれの角度でも常時同一となるように均等に分散して形成されることを特徴とする、請求項１に記載のゴルフボールのディンプル内部構造。
【請求項５】
前記突起は一つのディンプル面積の５〜６０％に相当する大きさに形成されることを特徴とする、請求項１に記載のゴルフボールのディンプル内部構造。
【発明の詳細な説明】
【技術分野】
【０００１】
本発明は、ゴルフボールのディンプル内部構造に係り、より詳しくは、ゴルフボールのディンプルの内側に突起を一体に形成することにより、ゴルフクラブのヘッドによるゴルフボールのインパクトの際に前記ゴルフクラブのヘッドに接触するゴルフボールの接触面積を増大させて前記インパクト動作時の衝撃力によるゴルフボールの変形を減少させることができ、ゴルフボールの迅速な飛び出しのための弾発力を増大させてゴルフボールの飛距離を増加させることができるうえ、ゴルフボールの球形状の実現が可能になってグリーン上における前記ゴルフボールの転がりを一定にすることができるためより正確且つ繊細なパッティングをもたらすことが可能な、ゴルフボールのディンプル内部構造に関するものである。
【背景技術】
【０００２】
ゴルフボールは、数多い種類があるが、通常、その構造によって、１つの構成からなるワンピースゴルフボール、核とその核を保護するカバーとからなるツーピースゴルフボール、及び内核とその内核を取り囲んでいる外層とからなる二重の核上にカバーを被せたソリッドタイプのスリーピースゴルフボールなどに分けられる。
【０００３】
このような各種ゴルフボールは、共通的に、陰刻の窪みからなる多数のディンプルが外周面に一定の形に配列されている。前記ディンプルは、ゴルフクラブヘッドの打撃の際に空気抵抗を減少させてゴルフボールの飛距離を増大させるためのものである。
【０００４】
すなわち、全てのゴルフボールは、球体の表面に前記のような多数のディンプルを有するが、そのディンプルの配列、大きさ、形状または深さなどによっていろいろの飛行特性が決定される。それ故に、このようなディンプルについて多くの研究が現在行われており、特に形状または個数または配列を異にして空気抵抗をさらに減少させるために多くの努力をしている。
【０００５】
ところが、上述したように陰刻の窪みからなる多数のディンプルを備えた従来のゴルフボールは、ゴルフクラブヘッドの打撃の際に打撃面に変形が発生する。このようにゴルフボールが変形すると、空気との抵抗が大きくなって競技者の意図された打球方向とは異なる方向にゴルフボールが動くという問題点があった。その上、インパクト時の反発力及び弾発力によってゴルフボールが飛翔するまで時間遅延が発生し、ゴルフボールの飛距離が相対的に短縮されるという問題点もあった。
【０００６】
かかる問題点を防止するための公知技術として、図１及び図２に示した補強材を備えたゴルフボールがある。
【０００７】
すなわち、図１は従来の補強部材が内部に設置されたゴルフボールを示す部分切開斜視図である。図２は従来の補強部材が内部に設置されたゴルフボールを示す断面図である。同図に示すように、ゴルフボールは弾性体の内部コア１０、外部コア２０及びカバー３０からなるが、前記内部コア１０と外部コア２０との間には放射状に複数の補強部材４０が挿入されて構成される。前記補強部材４０は棒状の金属体からなる。前記カバー３０の外周面には円形ディンプルが形成される。
【０００８】
上述した構成を有する従来の補強部材が内部に設置されたゴルフボールは、ゴルフクラブヘッドの打撃の際、複数の補強部材４０がその内側から外側を向かって放射状に挿入されているため、前記ゴルフクラブヘッドからゴルフボールのカバー３０の外周面に伝達される力が前記補強部材４０によってゴルフボールの中心の内部コア１０に凝集する。これに加え、ゴルフクラブヘッドによる打撃の際に前記補強部材４０によるゴルフボールの変形が減少して前記ゴルフボールの飛距離が増大するという効果があった。
【０００９】
ところが、従来の補強部材が内部に設置されたゴルフボールは、別途の補強部材の挿入による製造コストが増大するという問題点、及びゴルフクラブヘッドによる打撃の際に打撃力が補強部材に伝達されることにより、棒状の金属体からなる補強部材が弾性体の内・外部コア及びカバーに損傷を与えるという問題点があった。
【００１０】
図１及び図２のゴルフボールとは異なる従来の技術としては、図３に示した衝撃伝達部材付きゴルフボールがある。
【００１１】
すなわち、図３は従来の技術に係る衝撃伝達部材が内部に設置されたゴルフボールを示す断面図である。図３に示すように、ゴルフボールは、中心内部に内核１０ａと外核１０ｂから構成される球状の内部コア１０と、前記内部コア１０の外側に充填されて形成される外部コア２０と、前記外部コア２０の内部に設けられ、前記内部コア１０に支持されて外部衝撃を内部コア１０側に直接伝達する複数の衝撃伝達部材４０ａと、前記衝撃伝達部材４０ａの表面露出を防止し、前記外部コア２０を覆うカバー３０とから構成される。
【００１２】
前記の構成を有する従来の衝撃伝達部材が内部に設置されたゴルフボールは、ゴルフクラブヘッドの打撃の際、複数の衝撃伝達部材４０ａがその内側から外側に向かって放射状に挿入されているため、前記ゴルフクラブヘッドからゴルフボールカバー３０の外周面に伝達される力が、前記衝撃伝達部材４０ａによって、ゴルフボールの中心である内部コア１０の内核１０ａ側へ伝達される。これに加え、ゴルフクラブヘッドによる打撃の際に前記衝撃伝達部材４０ａによるゴルフボールの変形が減少して前記ゴルフボールの飛距離が増大するという効果があった。
【００１３】
すなわち、ゴルフクラブヘッドによる打撃エネルギーがゴルフボールに伝達されると、カバーから内部の衝撃伝達部材を介して内部コアの内核側へ伝達されるが、これはゴルフボールの飛行力として作用する。この際、前記内部コア側に伝達された衝撃力に反発する反発力が発生し、この反発力は衝撃伝達部材を介してカバー側へ伝達されるので、打撃部位の変形が減少するという効果があった。
【００１４】
ところが、上述した衝撃伝達部材付きゴルフボールも、従来の補強部材付きゴルフボールと同様に、別途の衝撃伝達部材の使用による製造コストが増大し、生産性が低下するという問題点だけでなく、ゴルフクラブヘッドによる打撃の際に打撃力が衝撃伝達部材に伝達されることにより前記衝撃伝達部材が弾性体の内・外部コアとカバーに損傷を与えるという問題点があった。
【発明の開示】
【発明が解決しようとする課題】
【００１５】
そこで、本発明はこのような従来の問題点に鑑みてなされたもので、その目的とするところは、印刻の窪みからなるディンプルが付いているゴルフボールにおいて、前記ディンプルの中央内部に突起を一体に形成することにより、ゴルフクラブヘッドの打撃の際に衝撃面の接触面積を増大させることができるとともに、ゴルフボールの弾発力を増大させて飛距離を増加させることができる、ゴルフボールのディンプル内部構造を提供することにある。
【００１６】
また、本発明の他の目的は、ゴルフクラブヘッドの打撃の際に前記ゴルフクラブのヘッドに接触するゴルフボールの変形を減少させることができるとともに、ゴルフボールの迅速な飛び出しのための弾発力を増大させることができる、ゴルフボールのディンプル内部構造を提供することにある。
【００１７】
また、本発明の別の目的は、突起によりゴルフボールの球形状の実現が可能となってグリーン上における前記ゴルフボールの転がり運動を一定にすることができるため、パッティングの際にさらに正確且つ繊細なパッティングをもたらすと共に、グリーン付近における近接シャットにおいてゴルフボールのバックスピン量の増加をもたらすので、グリーン上におけるゴルフボールの転がり性を容易に調節することが可能なゴルフボールのディンプル内部構造を提供することにある。
【００１８】
また、本発明の別の目的は、弾性体の内・外部コアとカバーに損傷を与えないゴルフボールのディンプル内部構造を提供することにある。
【００１９】
また、本発明の別の目的は、生産性を向上させ且つ製造コストを節減することが可能なゴルフボールのディンプル内部構造を提供することにある。
【課題を解決するための手段】
【００２０】
上記課題を解決するために、本発明のゴルフボールのディンプル内部構造は、所定形状の多数のディンプルが一定の形に配列されたゴルフボールにおいて、前記ディンプルの内側に少なくとも１つ以上一体に形成される突起からなり、ゴルフクラブヘッドの打撃の際に衝撃面の接触面積を増大させることができると同時に、ゴルフボールの弾発力を増大させてゴルフボールの飛距離を増加させることができることを特徴とする。
【００２１】
また、本発明のゴルフボールのディンプル内部構造を成す突起は、様々な形状を有し、或いはディンプルの形状と同一の形状を有するが、突起は、ディンプルの深さをなす上部仮想円周と下部仮想円周との間に形成され、上部仮想円周の外部に突出しないことにより、空気抵抗を減少させることができると同時に、ゴルフボールの転がり運動の低下を防止することができることを特徴とする。
【００２２】
また、本発明のゴルフボールのディンプル内部構造をなす突起は、全体ディンプルのそれぞれに形成されるか、または全体ディンプル数の１５〜８５％の間に相当する数だけ存在するように形成されるが、ゴルフボールの重心がいずれの角度でも常時同一となるように均等に分散して形成されることを特徴とする。
【００２３】
また、本発明のゴルフボールのディンプル内部構造をなす突起は、一つのディンプル面積の５〜６０％に相当する大きさに形成され、ゴルフボールの重量を減らすことができるようにしたことを特徴とする。
【発明の効果】
【００２４】
本発明のゴルフボールのディンプル内部構造は、陰刻の窪みからなる多数のディンプルが付いているゴルフボールにおいて、前記ディンプルの内部に少なくとも１つ以上の突起が一体に形成されることにより、ゴルフクラブヘッドの打撃の際に衝撃面の接触面積を増大させることができると同時に、ゴルフボールの弾発力を増大させて前記ゴルフボールの飛距離を増加させることができる。
【００２５】
また、本発明のゴルフボールのディンプル内部構造は、ゴルフクラブヘッドの打撃の際に前記ゴルフクラブのヘッドに接触するゴルフボールの変形を減少させることができ、ゴルフボールの迅速な飛び出しのための弾発力を増大させることができる。
【００２６】
また、本発明のゴルフボールのディンプル内部構造は、ゴルフボールの球形状の実現が可能となってグリーン上における前記ゴルフボールの転がり運動を一定にすることができるため、パッティングの際により正確且つ繊細なパッティングをもたらすとともに、グリーン付近における近接シャットにおいてゴルフボールのバックスピン量の増加をもたらすので、グリーン上におけるゴルフボールの転がり性を容易に調節することができる。
【００２７】
また、本発明のゴルフボールのディンプル内部構造は、弾性体のコア及びカバーの損傷を防止することができる。
【発明を実施するための最良の形態】
【００２８】
以下に添付図面を参照しながら、本発明の好適な実施例について詳細に説明する。
【００２９】
図１３は本発明の第１実施例に係るゴルフボールのディンプル内部構造を示す全体斜視図、図１４は図１３の断面図、図１５は本発明の第１実施例に係る突起の突出長さを説明するために示す部分断面図、図１６は本発明の第１実施例に係る突起の大きさを説明するために示す部分断面図である。
【００３０】
同図に示すように、本発明の第１実施例に係るゴルフボールのディンプル内部構造は、円形の窪みからなる多数のディンプル５０ａが一定の形に配列されたゴルフボール１において、前記ディンプル５０ａの内側には、前記ディンプルの形状と同一の形状、すなわち円形の突起６０ａが一体に少なくとも一つ以上形成される。
【００３１】
ところが、前記円形の突起６０ａは、これに限定されず、前記ディンプルの形状と異なる形状にすることもできる。すなわち、長方形、正方形、円柱形またはピラミッド形など様々な形状の突起にすることができる。また、お互い異なる形状の突起を混合して採用することもできる。
【００３２】
好ましくは、前記円形突起６０ａは、全体ディンプル５０ａの内側にそれぞれ形成される。このようにゴルフボール１の全体ディンプル５０ａに前記円形の突起６０ａがそれぞれ形成された場合、初級者も、前記ゴルフボールの円形突起６０ａを容易に打撃することができるという効果がある。これは、ゴルフボールの全面にわたって円形突起６０ａが形成されているので、前記ゴルフボールのどの部分を打撃しても突起がゴルフクラブのヘッドに接触するためである。
【００３３】
ところが、このような場合、ゴルフボールの重量が増加するという問題点が生ずるが、これは、ゴルフボールの製造過程で前記ゴルフボール内部の核の材質または大きさや、カバーの材質または大きさ、ディンプルの深さまたは面積などを調整して前記ゴルフボールの重量増減を調節することにより、解決することができる。
【００３４】
さらに好ましくは、前記円形突起６０ａは、全体ディンプル５０ａ数の１５〜８５％の間に相当する数だけ存在するように形成する。この際、前記円形突起６０ａは、ゴルフボール１の重心がいずれの角度でも常時同一となるように均等に分散して形成される。
【００３５】
これは、前記円形突起６０ａが全体ディンプル５０ａ数の１５％以下に相当する数だけ存在すると、ゴルフクラブヘッドの打撃の際に衝撃面の接触面積を増加させることが可能な効果が減少してゴルフボールの弾発力の増大を期待することができず、これに対し、前記円形突起６０ａが全体ディンプル５０ａ数の８５％以上に相当する数だけ存在すると、ゴルフボールの重量がそれだけ増加すると同時に空気の抵抗を多く受けて飛距離が短くなるためである。
【００３６】
このように円形突起６０ａが全体ディンプル５０ａ数の１５〜５０％程度に相当する数だけ形成されたゴルフボールの場合には、高級者が選択して使用すればよく、前記円形突起６０ａが全体ディンプル５０ａ数の５０〜８５％程度に相当する数だけ形成されたゴルフボールの場合には、中級者が選択して使用すればよい。
【００３７】
その理由は、前記円形突起６０ａがゴルフボール１に少なく分布している場合、初級者または中級者は、ゴルフボールの弾発力を増加させる前記円形突起６０ａ部分を正確に打撃することが難しいためである。
【００３８】
また、好ましくは、前記円形突起６０ａは、ゴルフボールの飛行時の空気抵抗及びゴルフボールのグリーン上における転がり運動を考慮して、ディンプル５０ａの深さＤ（図１５に図示）と同等またはそれ以下の高さを有するように形成される。
【００３９】
すなわち、図４〜図７に示すように、前記円形突起６０ａは、上部仮想円周ａの外部に突出せず、前記上部仮想円周ａと下部仮想円周ｂとの間に位置する。
【００４０】
これは、前記円形突起６０ａと前記ディンプル５０ａの外部（上部仮想円周の外部）に突出すると、ゴルフボールの正確な打撃が難しくなり、飛行の際に空気抵抗による飛距離が短くなるうえ、グリーン上における転がり運動が円滑ではないという問題点があるためである。
【００４１】
また、前記円形突起６０ａは、ディンプル５０ａの面積（Ａ）（図１６に図示）の５〜６０％に相当する大きさに形成される。これは、前記円形突起６０ａがディンプル面積の５％以下に相当する大きさに形成されると、ゴルフクラブヘッドの打撃の際に衝撃面の接触面積を増加させることができるという効果が減少してゴルフボールの弾発力増大を期待することができず、前記円形突起６０ａがディンプル面積の６０％以上に相当する大きさに形成されると、ゴルフボールの重量が増えると同時に、突出高さと同様に、空気の抵抗を多く受けて飛距離が短くなるためである。
【００４２】
このように円形の窪みからなるディンプル５０ａの内側中央に、前記ディンプルの形状と同一の形状、すなわち円形の突起６０ａが一体に少なくとも１つ以上形成され、ゴルフクラブヘッドの打撃の際に前記円形突起６０ａがゴルフクラブヘッドに接触することにより、ゴルフボールの変形が減少すると同時にゴルフボールの接触面（衝撃面）の増大によりゴルフボールの弾発力が増大する。
【００４３】
また、前記円形突起６０ａの形成によりゴルフボールの球形状の実現が可能となってグリーン上における前記ゴルフボールの転がり運動を一定にすることができるため、パッティングの際により正確且つ繊細なパッティングをもたらし、グリーン付近における近接シャットにおいてゴルフボールのバックスピン量の増加をもたらすので、グリーン上におけるゴルフボールの転がり性を容易に調節することができる。すなわち、上述したゴルフボールの球形状の実現によりバックスピン量の増加をもたらすことができるので、その調節（ゴルフボールのバックスピン量の調節）によるグリーン上におけるゴルフボールの停止を容易に調節することができる。
【００４４】
図１７は本発明の第２実施例に係るゴルフボールのディンプル内部構造を示す全体斜視図、図１８は図１７の断面図である。
【００４５】
同図に示すように、本発明の第２実施例に係るゴルフボールのディンプル内部構造は、楕円形の凹状からなる多数のディンプル５０ｂが一定の形に配列されたゴルフボール１において、前記ディンプル５０ｂの内側には、前記ディンプルの形状と同一の形状、すなわち楕円形の突起６０ｂが一体に少なくとも一つ以上形成される。
【００４６】
ところが、前記楕円形の突起６０ｂは、これに限定されず、前記ディンプルの形状と異なる形状にすることもできる。すなわち、円形や長方形、正方形、円柱形、ピラミッド形など様々な形状の突起にすることもできる。また、お互い異なる形状を有する突起が混合されて採用されることもできる。
【００４７】
好ましくは、前記楕円形の突起６０ｂは、全体ディンプル５０ｂの内側にそれぞれ形成される。
【００４８】
さらに好ましくは、前記楕円形の突起６０ｂは、全体ディンプル５０ｂ数の１５〜８５％の間に相当する数だけ存在するように形成される。この際、前記楕円形の突起６０ｂは、ゴルフボール１の重心がいずれの角度でも常時同一となるように均等に分散して形成される。
【００４９】
これは、前記楕円形の突起６０ｂが全体ディンプル５０ｂ数の１５％以下に相当する数だけ存在すると、ゴルフクラブヘッドの打撃の際に衝撃面の接触面積を増やすことが可能な効果が減少してゴルフボールの弾発力増大を期待することができず、前記楕円形の突起６０ｂが全体ディンプル５０ｂ数の８５％以上に相当する数だけ存在すると、ゴルフボールの重量が増えると同時に空気の抵抗を多く受けて飛距離が短くなるためである。
【００５０】
また、好ましくは、前記楕円形の突起６０ｂは、ゴルフボールの飛行時の空気抵抗及びゴルフボールのグリーン上における転がり運動を考慮して、ディンプル５０ｂの深さＤ（図１５に図示）と同等またはそれ以下の高さを有するように形成される。
【００５１】
すなわち、図４〜図７に示すように、前記楕円形の突起６０ｂは、上部仮想円周ａの外部に突出せず、前記上部仮想円周ａと前記下部仮想円周ｂとの間に位置する。
【００５２】
これは、前記楕円形の突起６０ｂが前記ディンプル５０ｂの外部（上部仮想円周の外部）に突出すると、ゴルフボールの正確な打撃が難しくなり、飛行の際に空気抵抗による飛距離が短くなるうえ、グリーン上における転がり運動が円滑ではないという問題点があるためである。
【００５３】
また、前記楕円形の突起６０ｂは、ディンプル５０ｂの面積Ａ（図１６に図示）の５〜６０％に相当する大きさに形成される。これは、前記楕円形の突起６０ｂがディンプル面積の５％以下に相当する大きさに形成されると、ゴルフクラブヘッドの打撃の際に衝撃面の接触面積を増加させることが可能な効果が減少してゴルフボールの弾発力の増大を期待することができず、前記楕円形の突起６０ｂがディンプル面積の６０％以上に相当する大きさに形成されると、ゴルフボールの重量が増えると同時に、前記突出高さと同様に、空気の抵抗を多く受けて飛距離が短くなるためである。
【００５４】
このように楕円形の窪みからなるディンプル５０ｂの内側中央に、前記ディンプルの形状と同一の楕円形の突起６０ｂが一体に少なくとも一つ以上形成され、ゴルフクラブヘッドの打撃の際に前記楕円形の突起６０ｂがゴルフクラブヘッドに接触することにより、ゴルフボールの変形が減少すると同時にゴルフボールの迅速な飛び出しのための弾発力が増大する。
【００５５】
図１９は本発明の第３実施例に係るゴルフボールのディンプル内部構造を示す全体斜視図、図２０は図１９の断面図である。
【００５６】
同図に示すように、本発明の第３実施例に係るゴルフボールのディンプル内部構造は、正八角形の窪みからなる多数のディンプル５０ｃが一定の形に配列されたゴルフボール１において、前記ディンプル５０ｃの内側には、前記ディンプルの形状と同一の形状、すなわち正八角形の突起６０ｃが一体に少なくとも１つ以上形成される。
【００５７】
ところが、前記正八角形の突起６０ｃは、これに限定されず、前記ディンプルの形状と異なる形状にすることもできる。すなわち、円形や楕円形、長方形、正方形、円柱形、ピラミット形など様々な形状の突起にすることもできる。また、お互い異なる形状を有する突起が混合されて採用されることもできる。
【００５８】
好ましくは、前記正八角形の突起６０ｃは全体ディンプル５０ｃの内側にそれぞれ形成される。
【００５９】
さらに好ましくは、前記正八角形の突起６０ｃは全体ディンプル５０ｃ数の１５〜８５％の間に相当する数だけ存在するように形成される。この際、前記正八角形の突起６０ｃは、ゴルフボール１の重心がいずれの角度でも常時同一となるように均等に分散して形成される。
【００６０】
これは、前記正八角形の突起６０ｃが全体ディンプル５０ｃ数の１５％以下に相当する数だけ存在すると、ゴルフグラブヘッドの打撃の際に衝撃面の接触面積を増加させることが可能な効果が減少してゴルフボールの弾発力の増大を期待することができず、これに対し、全体ディンプル５０ｃ数の８５％以上に相当する数だけ存在すると、ゴルフボールの重量が増加すると同時に空気の抵抗を多く受けて飛距離が短くなるためである。
【００６１】
また、好ましくは、前記正八角形の突起６０ｃは、ゴルフボールの飛行時の空気抵抗及びゴルフボールのグリーン上における転がり運動を考慮して、ディンプル５０ｃの深さＤ（図１５に図示）と同等またはそれ以下の高さを有するように形成される。
【００６２】
すなわち、図４〜図７に示すように、正八角系の突起６０ｃは、上部仮想円周ａの外部に突出せず、前記上部仮想円周ａと下部仮想円周ｂとの間に位置する。
【００６３】
これは、前記正八角形の突起６０ｃが前記ディンプル５０ｃの外部（上部仮想円周の外部）に突出すると、ゴルフボールの正確な打撃が難しくなり、飛行の際に空気抵抗による飛距離が短くなるうえ、グリーン上における転がり運動が円滑ではないという問題点があるためである。
【００６４】
また、前記正八角形の突起６０ｃは、ディンプル５０ｃ面積Ａ（図１６に図示）の５〜６０％に相当する大きさに形成される。これは、前記正八角形の突起６０ｃがディンプル面積の５％以下に相当する大きさに形成されると、ゴルフクラブヘッドの打撃の際に衝撃面の接触面積を増加させることが可能な効果が減少してゴルフボールの弾発力の増大を期待することができず、前記正八角形の突起６０ｃがディンプル面積の６０％以上に相当する大きさに形成されると、ゴルフボールの重量が増えると同時に、前記突出高さと同様に、空気の抵抗を多く受けて飛距離が短くなるためである。
【００６５】
前記のように正八角形の窪みからなるディンプル５０ｃの内側中央に、前記ディンプルの形状と同一の形状、すなわち正八角形の突起６０ｃが一体に少なくとも１つ以上形成され、ゴルフクラブヘッドの打撃の際に前記正八角形の突起６０ｃがゴルフクラブヘッドに接触することにより、ゴルフボールの変形が減少すると同時にゴルフボールの迅速な飛び出しのための弾発力が増大する。
【００６６】
図２１は本発明の第４実施例に係るゴルフボールのディンプル内部構造を示す全体斜視図、図２２は図２１の断面図である。
【００６７】
同図に示すように、本発明の第４実施例に係るゴルフボールのディンプル内部構造は、直八角形の窪みからなる多数のディンプル５０ｄが一定の形に配列されたゴルフボール１において、前記ディンプル５０ｄの内側には、前記ディンプルの形状と同一の形状、すなわち直八角形の突起６０ｄが一体に少なくとも一つ以上形成される。
【００６８】
ところが、前記直八角形の突起６０ｄは、これに限定されず、前記ディンブルの形状と異なる形状にすることもできる。すなわち、円形や楕円形、長方形、正方形、円柱形、ピラミット形などの最も様々な形状を有する突起にすることもできる。また、お互い異なる形状を有する突起が混合されて採用されることもできる。
【００６９】
好ましくは、前記直八角形の突起６０ｄは全体ディンプル５０ｄの内側にそれぞれ形成される。
【００７０】
さらに好ましくは、前記直八角形の突起６０ｄは全体ディンプル５０ｄ数の１５〜８５％の間に相当する数だけ形成される。この際、前記直八角形の突起６０ｄは、ゴルフボール１の重心がいずれの角度でも常時同一となるように均等に分散して形成される。
【００７１】
これは、前記直八角形の突起６０ｄが全体ディンプル５０ｄ数の１５％以下に相当する数だけ存在すると、ゴルフグラブヘッドの打撃の際に衝撃面の接触面積を増加させることが可能な効果が減少してゴルフボールの弾発力の増大を期待することができず、これに対し、前記直八角形の突起６０ｄが全体ディンプル５０ｄ数の８５％以上に相当する数だけ存在すると、ゴルフボールの重量が増加すると同時に空気の抵抗を多く受けて飛距離が短くなるためである。
【００７２】
また、好ましくは、前記直八角形の突起６０ｄは、ゴルフボールの飛行時の空気抵抗及びゴルフボールのグリーン上における転がり運動を考慮して、ディンプル５０ｄの深さＤ（図１５に図示）と同等またはそれ以下の高さを有するように形成される。
【００７３】
すなわち、図４〜図７に示すように、前記直八角系の突起６０ｄは、上部仮想円周ａの外部に突出せず、前記上部仮想円周ａと下部仮想円周ｂとの間に位置する。
【００７４】
これは、前記直八角形の突起６０ｄが前記ディンプル５０ｄの外部（上部仮想円周の外部）に突出すると、ゴルフボールの正確な打撃が難しくなり、飛行の際に空気抵抗による飛距離が短くなるうえ、グリーン上における転がり運動が円滑ではないという問題点があるためである。
【００７５】
また、前記直八角形の突起６０ｄは、ディンプル５０ｄ面積Ａ（図１６に図示）の５〜６０％に相当する大きさに形成される。これは、前記直八角形の突起６０ｄがディンプル面積の５％以下に相当する大きさに形成されると、ゴルフクラブヘッドの打撃の際に衝撃面の接触面積を増加させることが可能な効果が減少してゴルフボールの弾発力の増大を期待することができず、前記直八角形の突起６０ｄがディンプル面積の６０％以上に相当する大きさに形成されると、ゴルフボールの重量が増えると同時に、前記突出高さと同様に、空気の抵抗を多く受けて飛距離が短くなるためである。
【００７６】
前記のように直八角形の窪みからなるディンプル５０ｄの内側中央に、前記ディンプルの形状と同一の形状、すなわち直八角形の突起６０ｄが一体に少なくとも１つ以上形成され、ゴルフクラブヘッドの打撃の際に前記直八角形の突起６０ｄがゴルフクラブヘッドに接触することにより、ゴルフボールの変形が減少すると同時にゴルフボールの迅速な飛び出しのための弾発力が増大する。
【００７７】
一方、図２３は本発明の第５実施例に係るゴルフボールのディンプル内部構造を示す全体斜視図、第５実施例に係るゴルフボールのディンプル内部構造は、正六角形の窪みからなる多数のディンプル５０ｅが一定の形に配列されたゴルフボール１において、前記ディンプル５０ｅの内側には、前記ディンプルの形状と同一の形状、すなわち直六角形の突起６０ｅが一体に少なくとも一つ以上形成される。ところが、前記突起の形状は、これに限定されず、様々な形状を持つことができる。
【００７８】
図２４は本発明の第６実施例に係るゴルフボールのディンプル内部構造を示す全体斜視図である。第６実施例に係るゴルフボールのディンプル内部構造は、直六角形の窪みからなる多数のディンプル５０ｆが一定の形に配列されたゴルフボール１において、前記ディンプル５０ｆの内側には、前記ディンプルの形状と同一の形状、すなわち直六角形の突起６０ｆが一体に少なくとも一つ以上形成される。ところが、前記突起の形状は、これに限定されず、様々な形状を持つことができる。
【００７９】
上述した本発明の第５及び第６実施例に係るゴルフボールのディンプル内部構造も、前述の第１〜第４実施例と同様の構造を有する突起が適用される。
【００８０】
図２５はゴルフボール１のディンプル内部に２つの突起が一体に形成された状態を示す断面図である。
【００８１】
図２５には同一形状の２つの突起がディンプル内に形成されたが、お互い異なる形状の突起を混合して採用することもできる。
【００８２】
好ましくは、前記２つの突起は全体ディンプルの内部にそれぞれ形成される。
【００８３】
さらに好ましくは、前記２つの突起は全体ディンプル数の１５〜８５％の間に相当する数だけ存在するように形成される。この際、前記２つの突起は、ゴルフボール１の重心がいずれの角度でも常時同一となるように均等に分散して形成される。
【００８４】
また、好ましくは、前記２つの突起は、ゴルフボールの飛行時の空気抵抗及びゴルフボールのグリーン上における転がり運動を考慮して、ディンプルの深さＤ（図１５に図示）と同等またはそれ以下の高さを有するように形成される。
【００８５】
また、前記２つの突起は、合算してディンプル面積Ａ（図１６に図示）の５〜６０％に相当する大きさに形成される。
【００８６】
上述した２つの突起の数値限定理由は、前述した実施例の割合限定理由と同様である。
【００８７】
このような本発明のいろいろの実施例に係るゴルフボールのディンプル内部構造の特徴は、次のとおりである。
【００８８】
第一に、ワンピースまたはツーピースまたはスリーピースなどのゴルフボールの種類を問わず、ディンプルが付いているゴルフボールに全て適用する突起であることを特徴とする。
【００８９】
第二に、前記のようにディンプルが形成されたゴルフボールにおいて、様々な形状の突起からなることを特徴とする。
【００９０】
第三に、前記様々な形状の突起は、前記ディンプルの深さと同等またはそれ以下の高さを有するように形成され、前記ディンプルの外部に突出しないことを特徴とする。
【００９１】
第四に、前記突起は、全体ディンプルそれぞれに形成されるか、或いは全体ディンプル数の１５〜８５％の間に相当する数だけ存在するように形成されるが、ゴルフボールの重心がいずれの角度でも常時同一となるように均等に分散して形成されることを特徴とする。
【００９２】
第五に、前記突起は一つのディンプル面積の５〜６０％に相当する大きさに形成されることを特徴とする。
【００９３】
以上説明した本発明は、前述した実施例及び添付図面に限定されないことは言うまでもない。本発明の技術的思想から外れない範疇内において、様々な置換、変形または変更が可能なのは、本発明の属する技術分野で通常の知識を有する者には明らかである。
【００９４】
上述した目的、特徴及び利点は、添付図面に関した次の詳細な説明によってさらに明確になるであろう。まず、各図面の構成要素に参照番号を付するにおいて、同一の構成要素に限っては、たとえ他の図面上に表示されてもできる限り同一の番号を付するようにしていることに留意すべきである。
【００９５】
以下、本発明のいろいろの実施例に基本的に適用される本発明の特徴について説明する。
【００９６】
図４はゴルフボールのディンプル内部に本発明の突起が形成された状態を示す全体断面図、図５は比較的広い直径を有するディンプルの内部に本発明の突起が形成された状態を示す部分断面図、図６は比較的狭い直径を有するディンプルの内部に本発明の突起が形成された状態を示す部分断面図である。
【００９７】
ゴルフボールには、様々な形状を有するディンプル（上述したいろいろの実施例で詳細に説明した）が一定に形成されており、前記ディンプルの直径または深さも様々である。
【００９８】
本発明のゴルフボールのディンプル内部構造は、前記のように様々な形状、様々な直径及び様々な深さのディンプル内に存在する一体型突起の形成によって達成される。
【００９９】
次に、これについて詳細に説明する。
【０１００】
図４に示すように、ゴルフボール１にはディンプルの外形、すなわち前記ゴルフボール１の外周面に上部仮想円周ａが形成され、前記上部仮想円周ａから一定の間隔Ｄを隔てて、ディンプルの底面とディンプルの底面とを連結する下部仮想円周ｂが形成される。この際、前記上部仮想円周ａと下部仮想円周ｂ間の一定の間隔Ｄはディンプルの深さを成す。
【０１０１】
本発明は、このようなゴルフボール１において、上部仮想円周ａと下部仮想円周ｂとの間のディンプル内に突起が少なくとも１つ以上（図面では１つのみを示した）一体に存在することを最も大きい特徴とする。
【０１０２】
図５に示すように、現在使用されているゴルフボールは、上部仮想円周ａ上のディンプルの直径ｄがディンプルの深さＤより大きくなるように形成されており、下部仮想円周ｂ上のディンプルの底面直径ｃも前記ディンプルの深さＤより大きくなるように形成されている。したがって、前記ディンプルの直径ｄが大きくなるほど、前記下部仮想円周ｂ上のディンプルの底面直径ｃは増加するが、ディンプルの深さＤは減少する。これにより、前記ディンプルの直径ｄが大きくなると、前記ディンプルの底面がまるで前記ディンプルの窪みからやや突出したかのように見える現象が発生する。
【０１０３】
本発明は、前記の構造を有するディンプルにおいても、前記ディンプルの底面上に少なくとも１つ以上一体に形成されるが、突起が、図４と同様に、上部仮想円周ａと下部仮想円周ｂとの間に位置することを特徴とする。
【０１０４】
図６に示すように、上部仮想円周ａ上のディンプルの直径ｄが図５とは逆に縮小すると、下部仮想円周ｂ上の前記ディンプルの底面直径ｃも縮小し、下部仮想円周ｂ上の前記ディンプルの底面直径ｃがディンプルの深さＤより小さくなる。
【０１０５】
上述したゴルフボールのディンプル構造においても、本発明は、上部仮想円周ａと下部仮想円周ｂ間のディンプル内に突起が少なくとも１つ以上一体に存在することを特徴とする。
【０１０６】
すなわち、本発明のゴルフボールのディンプル内部構造は、ディンプルの形状またはディンプルの大きさまたはディンプルの深さを問わず、上部仮想円周ａと下部仮想円周ｂ間のディンプル内に突起が少なくとも１つ以上一体に存在することを特徴とする。
【０１０７】
一方、図７に示すように、上部仮想円周ａ上のディンプルの直径ｄが縮小して下部仮想円周ｂ上の前記ディンプルの底面直径ｃも縮小することにより、前記ディンプルの底面中央に突起を形成することができない場合には、前記突起の底面直径ｅを下部仮想円周ｂ上の前記ディンプルの底面直径ｃより大きくすることができる。
【０１０８】
本発明の突起は、非常に様々な形状にすることができるが、これは図８〜図１２に例示した。
【０１０９】
すなわち、図８〜図１２は本発明のゴルフボールのディンプル内部構造をなす突起の様々な形状を示す図である。図８は楕円形の突起、図９はピラミット形の突起、図１０は四角柱形または円柱形突起、図１１は多角形の突起、図１２は２つの円形突起をそれぞれ示す。
【０１１０】
本発明の突起は、前述した形状の突起だけでなく、その他にもいろいろの形状にすることもできる。
【図面の簡単な説明】
【０１１１】
【図１】従来の技術に係る補強部材が内部に設置されたゴルフボールを示す部分切開斜視図である。
【図２】従来の技術に係る補強部材が内部に設置されたゴルフボールを示す断面図である。
【図３】従来の技術に係る衝撃伝達部材が内部に設置されたゴルフボールを示す断面図である。
【図４】ゴルフボールのディンプル内部に本発明の突起が形成された状態を示す全体断面図である。
【図５】比較的広い直径を有するディンプルの内部に本発明の突起が形成された状態を示す部分断面図である。
【図６】比較的狭い直径を有するディンプルのディンプル内部に本発明の突起が形成された状態を示す部分断面図である。
【図７】比較的狭い直径を有するディンプルのディンプル内部に本発明の突起が形成された状態を示す部分断面図である。
【図８】本発明のゴルフボールのディンプル内部構造を成す突起の様々な形態を示す部分断面図である。
【図９】本発明のゴルフボールのディンプル内部構造を成す突起の様々な形態を示す部分断面図である。
【図１０】本発明のゴルフボールのディンプル内部構造を成す突起の様々な形態を示す部分断面図である。
【図１１】本発明のゴルフボールのディンプル内部構造を成す突起の様々な形態を示す部分断面図である。
【図１２】本発明のゴルフボールのディンプル内部構造を成す突起の様々な形態を示す部分断面図である。
【図１３】本発明の第１実施例に係るゴルフボールのディンプル内部構造を示す全体斜視図である。
【図１４】図１３の断面図である。
【図１５】本発明の第１実施例に係る突起の突出長さを説明するために示す部分断面図である。
【図１６】本発明の第１実施例に係る突起の大きさを説明するために示す部分断面図である。
【図１７】本発明の第２実施例に係るゴルフボールのディンプル内部構造を示す全体斜視図である。
【図１８】図１７の断面図である。
【図１９】本発明の第３実施例に係るゴルフボールのディンプル内部構造を示す全体斜視図である。
【図２０】図１９の断面図である。
【図２１】本発明の第４実施例に係るゴルフボールのディンプル内部構造を示す全体斜視図である。
【図２２】図２１の断面図である。
【図２３】本発明の第５実施例に係るゴルフボールのディンプル内部構造を示す全体斜視図である。
【図２４】本発明の第６実施例に係るゴルフボールのディンプル内部構造を示す全体斜視図である。
【図２５】ゴルフボールのディンプル内部に２つの突起が一体に形成された状態を示す断面図である。
【符号の説明】
【０１１２】
１    ゴルフボール
５０ａ〜５０ｆ    ディンプル
６０ａ〜６０ｆ    突起
【図１】
2007535971.tif 000003
【図２】
2007535971.tif 000004
【図３】
2007535971.tif 000005
【図４】
2007535971.tif 000006
【図５】
2007535971.tif 000007
【図６】
2007535971.tif 000008
【図７】
2007535971.tif 000009
【図８】
2007535971.tif 000010
【図９】
2007535971.tif 000011
【図１０】
2007535971.tif 000012
【図１１】
2007535971.tif 000013
【図１２】
2007535971.tif 000014
【図１３】
2007535971.tif 000015
【図１４】
2007535971.tif 000016
【図１５】
2007535971.tif 000017
【図１６】
2007535971.tif 000018
【図１７】
2007535971.tif 000019
【図１８】
2007535971.tif 000020
【図１９】
2007535971.tif 000021
【図２０】
2007535971.tif 000022
【図２１】
2007535971.tif 000023
【図２２】
2007535971.tif 000024
【図２３】
2007535971.tif 000025
【図２４】
2007535971.tif 000026
【図２５】
2007535971.tif 000027
【国際調査報告】
2007535971.tif 000028
2007535971.tif 000029